(57)【要約】【課題】非正規の遊技媒体を効率化すること。【解決手段】台間メダル貸機１０は、メダルの計数を行なうか否か、計数結果を持メダルに加算するか否か、並びにメダルをどこに排出するかを規定するモードを複数の中から選択することができる。このため、営業中モードで遊技客が計数を行なったメダルは、計数して持メダルに加算し、そのうちの非正規メダルをリジェクトボックスに貯留するのに対し、閉店中モードでは、メダルの計数を行なわず、非正規メダルを返却口に返却する、等のように、状況に応じて正規メダル及び非正規メダルに対する処理を切り替えることが出来、もって非正規のメダルの取り扱いを効率化することができる。【選択図】図１
2014144057.tif 000002
【特許請求の範囲】
【請求項１】
遊技機に対応して設置され、前記遊技機による遊技に使用される遊技媒体を管理する各台装置であって、
前記遊技媒体の種別を判別する判別手段と、
前記判別手段による判別結果に対応付けて前記遊技媒体に対する処理を定めた処理設定を選択する処理設定選択手段と、
前記処理設定選択手段により選択された処理設定に応じて、前記判別手段により判別された遊技媒体に対する処理を行なう処理手段と
を備えたことを特徴とする各台装置。
【請求項２】
前記処理設定選択手段は、前記遊技媒体を計数処理の対象とするか否か、前記遊技媒体を計数処理の対象とした場合に計数結果を持遊技媒体数への加算処理の対象とするか否かについて、前記判別手段による判別結果に対応付けて設定する機能を有することを特徴とする請求項１に記載の各台装置。
【請求項３】
前記判別手段により判別した遊技媒体について複数の搬送先に振り分ける振分手段を有し、
前記処理設定選択手段は、前記複数の搬送先のうち、一の搬送先を前記判別手段による判別結果に対応付けて設定する機能を有することを特徴とする請求項１に記載の各台装置。
【請求項４】
遊技客側に設けた投出口と、各台装置内に設けた貯留部と、島設備側に設けた外部への排出口とを有し、
前記振分手段は、前記投出口、前記貯留部、前記排出口を搬送先とする機能を有し、
前記処理設定選択手段は、前記投出口、前記貯留部、前記排出口のうちの少なくとも一つを前記判別結果に対応付けて設定する請求項３に記載の各台装置。
【請求項５】
前記貯留部に前記遊技媒体が所在する場合に報知する報知手段をさらに備えたことを特徴とする請求項３又は４に記載の各台装置。
【請求項６】
前記判別手段は、前記遊技媒体を正規遊技媒体と非正規遊技媒体とに判別するとともに、前記非正規遊技媒体を、遊技店内の他の区画で使用される異区画遊技媒体と、前記遊技店で使用されていない異店舗遊技媒体とにさらに判別する機能を有し、
前記処理設定選択手段は、前記異区画遊技媒体と前記異店舗遊技媒体に対して異なる処理を対応付けた設定を選択する
ことを特徴とする請求項１乃至５のいずれかに記載の各台装置。
【請求項７】
遊技機に対応して設置され、前記遊技機による遊技に使用される遊技媒体を管理する各台装置を含む遊技媒体管理システムであって、
前記各台装置において前記遊技媒体の種別を判別する判別手段と、
前記判別手段による判別結果に対応付けて前記遊技媒体に対する処理を定めた処理設定を選択する処理設定選択手段と、
前記処理設定選択手段により選択された設定に応じて、前記判別手段により判別された遊技媒体に対する処理を行なう処理手段と
を備えたことを特徴とする遊技媒体管理システム。
【請求項８】
遊技機に対応して設置された各台装置が、前記遊技機による遊技に使用される遊技媒体を管理する遊技媒体管理方法であって、
前記遊技媒体の種別を判別する判別ステップと、
前記判別ステップによる判別結果に対応付けて前記遊技媒体に対する処理を定めた処理設定を選択する処理設定選択ステップと、
前記処理設定選択ステップにより選択された処理設定に応じて、前記判別ステップにより判別された遊技媒体に対する処理を行なう処理ステップと
を含んだことを特徴とする遊技媒体管理方法。
【発明の詳細な説明】
【技術分野】
【０００１】
この発明は、遊技機に対応して設置され、遊技機による遊技に使用される遊技媒体を管理する各台装置、並びに各台装置による遊技媒体管理システム、遊技媒体管理方法に関する。
【背景技術】
【０００２】
従来、遊技店では、遊技玉を用いるパチンコ遊技機に併設したユニットにより遊技玉の貸出しを行っていた。また、パチンコ遊技機用のユニットには、遊技によって獲得した遊技玉を計数する機能を持たせたものがある（例えば特許文献１参照。）。
【０００３】
この遊技媒体として遊技玉を用いるパチンコ遊技機の他、遊技媒体としてメダルを用いる遊技機（スロットマシン）も遊技店に設置されることがある。上述の遊技玉を計数する機能を持たせたユニットは、獲得した遊技玉を現物で持って台移動せずとも良いことから、遊技客の負担を低減できるため、このメダルを用いる遊技機にも、台ごとに獲得メダルを計数する計数機を備えることが考えられる。
【０００４】
ここで、遊技玉やメダル等の遊技媒体を計数する場合には、他店から持ち込まれた遊技媒体等の非正規の遊技媒体の混入を抑止する必要がある。混入が大量に行われれば、遊技店の予測に反した景品の交換行為が行われ、売上に重大な影響を及ぼすためである。また、遊技場のシステム内に非正規の遊技媒体が混入した状態で営業を開始した場合、その後に検出した非正規の遊技媒体について、遊技客が持ち込んだものであるのか、既にシステム内に存在していたものであるのかを判断することは難しい。このため、遊技店において正規の遊技媒体と取り扱うべき遊技媒体の特徴を決定し、検出した遊技媒体が当該特徴を有するか否かによって正規の遊技媒体であるか否かを判別し、非正規の遊技媒体を正規な遊技媒体と分別（例えば非正規の遊技媒体を排除）することが考えられる。
【先行技術文献】
【特許文献】
【０００５】
【特許文献１】特開２０１１−１５６１５５号公報
【発明の概要】
【発明が解決しようとする課題】
【０００６】
しかしながら、各台で非正規遊技媒体の分別を行った場合、分別された非正規の遊技媒体の取扱いが難しいという問題点があった。たとえば、遊技中に計数機に投入された非正規の遊技媒体を遊技客が回収できる形で返却すると、遊技機が遊技媒体の正規・非正規を判断できない場合には返却した非正規の遊技媒体を遊技機に投入して再度使用されてしまうおそれがある。また、再度使用されるのを避けるため、非正規の遊技媒体を計数機内の貯留部等に貯留する構成とした場合、この貯留部への遊技客のアクセスを制限する必要があることから、貯留部から遊技媒体を回収するためには、遊技店員が鍵等を用いて貯留部にアクセスする構成とする必要が生ずるからである。
【０００７】
特に、一律に非正規の遊技媒体を計数機内の貯留部等に貯留する構成とした場合、遊技機毎に計数機を併設する構成では、貯留部の容量にも限界があり、遊技店員が全ての計数機を開閉して貯留部からの回収を行なわねばならず、遊技機の数に応じてその労力が増大することとなるのである。
【０００８】
また、閉店後の遊技店では、遊技媒体が落ちていることも多く、遊技店員が遊技媒体を拾うことで回収するのであるが、拾った遊技媒体が正規の遊技媒体であるか否かを人手により確認し、非正規の遊技媒体を排除することにも作業負担が発生する。拾った遊技媒体を、遊技媒体の判別機能を有する計数機に投入すれば、正規の遊技媒体であるか否かは機械的に判別可能であるが、非正規の遊技媒体を貯留部に貯留する構成では、貯留部から非正規の遊技媒体を取り出すためにかえって作業負担が増大する。
【０００９】
このため、非正規の遊技媒体の取り扱いをいかにして効率化するかが重要な課題となっている。かかる課題は、遊技媒体が遊技玉である場合であってもメダルである場合であっても生じる。
【００１０】
本発明は、上述の問題点に鑑みなされたものであって、非正規の遊技媒体を効率的に取り扱うことのできる各台装置、遊技媒体管理システム及び遊技媒体管理方法を提供することを目的とする。
【課題を解決するための手段】
【００１１】
上述した課題を解決し、目的を達成するため、本発明は、遊技機に対応して設置され、前記遊技機による遊技に使用される遊技媒体を管理する各台装置であって、前記遊技媒体の種別を判別する判別手段と、前記判別手段による判別結果に対応付けて前記遊技媒体に対する処理を定めた処理設定を選択する処理設定選択手段と、前記処理設定選択手段により選択された処理設定に応じて、前記判別手段により判別された遊技媒体に対する処理を行なう処理手段とを備えたことを特徴とする。
【００１２】
また、本発明は、上記発明において、前記処理設定選択手段は、前記遊技媒体を計数処理の対象とするか否か、前記遊技媒体を計数処理の対象とした場合に計数結果を持遊技媒体数への加算処理の対象とするか否かについて、前記判別手段による判別結果に対応付けて設定する機能を有することを特徴とする。
【００１３】
また、本発明は、上記発明において、前記判別手段により判別した遊技媒体について複数の搬送先に振り分ける振分手段を有し、前記処理設定選択手段は、前記複数の搬送先のうち、一の搬送先を前記判別手段による判別結果に対応付けて設定する機能を有することを特徴とする。
【００１４】
また、本発明は、上記発明において、遊技客側に設けた投出口と、各台装置内に設けた貯留部と、島設備側に設けた外部への排出口とを有し、前記振分手段は、前記投出口、前記貯留部、前記排出口を搬送先とする機能を有し、前記処理設定選択手段は、前記投出口、前記貯留部、前記排出口のうちの少なくとも一つを前記判別結果に対応付けて設定することを特徴とする。
【００１５】
また、本発明は、上記発明において、前記貯留部に前記遊技媒体が所在する場合に報知する報知手段をさらに備えたことを特徴とする。
【００１６】
また、本発明は、上記発明において、前記判別手段は、前記遊技媒体を正規遊技媒体と非正規遊技媒体とに判別するとともに、前記非正規遊技媒体を、遊技店内の他の区画で使用される異区画遊技媒体と、前記遊技店で使用されていない異店舗遊技媒体とにさらに判別する機能を有し、前記処理設定選択手段は、前記異区画遊技媒体と前記異店舗遊技媒体に対して異なる処理を対応付けた設定を選択することを特徴とする。
【００１７】
また、本発明は、遊技機に対応して設置され、前記遊技機による遊技に使用される遊技媒体を管理する各台装置を含む遊技媒体管理システムであって、前記各台装置において前記遊技媒体の種別を判別する判別手段と、前記判別手段による判別結果に対応付けて前記遊技媒体に対する処理を定めた処理設定を選択する処理設定選択手段と、前記処理設定選択手段により選択された設定に応じて、前記判別手段により判別された遊技媒体に対する処理を行なう処理手段とを備えたことを特徴とする。
【００１８】
また、本発明は、遊技機に対応して設置された各台装置が、前記遊技機による遊技に使用される遊技媒体を管理する遊技媒体管理方法であって、前記遊技媒体を判別する判別ステップと、前記判別ステップによる判別結果に対応付けて前記遊技媒体に対する処理を定めた処理設定を選択する処理設定選択ステップと、前記処理設定選択ステップにより選択された処理設定に応じて、前記判別ステップにより判別された遊技媒体に対する処理を行なう処理ステップとを含んだことを特徴とする。
【発明の効果】
【００１９】
本発明によれば、遊技媒体の判別結果に対応付けて遊技媒体に対する処理を定めた処理設定を選択し、選択された処理設定に応じて、判別された遊技媒体に対する処理を行なうよう構成したので、非正規の遊技媒体を効率化することができる。
【図面の簡単な説明】
【００２０】
【図１】図１は、実施例１に係る台間メダル貸機におけるメダルの管理の概念を説明するための説明図である。
【図２】図２は、遊技店のシステム構成を示す図である。
【図３】図３は、図２に示した遊技機及び台間メダル貸機の外観構成を示す図である。
【図４】図４は、図２に示した台間メダル貸機の内部構成を示すブロック図である。
【図５】図５は、図２に示した台間メダル貸機の実施例１に係るデータ構造について説明するための説明図である。
【図６】図６は、実施例１に係る台間メダル貸機におけるメダルの計数時の処理手順について説明するためのフローチャートである。
【図７】図７は、実施例２に係る台間メダル貸機の内部構成を示すブロック図である。
【図８】図８は、台間メダル貸機の実施例２に係るデータ構造について説明するための説明図である。
【図９】図９は、実施例２に係る台間メダル貸機におけるメダルの計数時の処理手順について説明するためのフローチャートである。
【発明を実施するための形態】
【００２１】
以下に、添付図面を参照して、本発明に係る各台装置、遊技媒体管理システム及び遊技媒体管理方法の好適な実施例を詳細に説明する。
【００２２】
本明細書中にあって持メダルとは、遊技客が遊技において獲得した遊技媒体又は当該遊技媒体数を示すデータであって、その当日中（閉店より前の時間）のみ遊技に再度供することができるものを言う。貯メダルとは、遊技客が遊技において獲得した遊技媒体又は当該遊技媒体数を示すデータであって、翌日以降（閉店より後の時間）も遊技に再度供することができるものを言う。持メダルは、一般遊技客及び会員遊技客の双方が使用可能であり、遊技機を移動した場合などに使用する。貯メダルは通常、会員遊技客のみが使用可能であり、獲得した遊技媒体を翌日以降の遊技に用いる場合に使用する。貯メダルの使用には所定の手数料を課すこととしてもよい。なお、持メダルを当日貯メダルと呼んでもよい。
【実施例１】
【００２３】
まず、実施例１に係るメダル管理の概念について説明する。図１は、実施例１に係る台間メダル貸機１０におけるメダルの管理の概念を説明するための説明図である。図１に示すように、メダルを遊技媒体として使用する遊技機２０には、台間メダル貸機１０が併設される。台間メダル貸機１０はメダルの管理に係る複数の処理設定（以降モードと呼ぶ。）を有している。このモードは、営業中モード、閉店中モード、従業員モード及びテストモードであり、いずれかのモードが選択される。モードは上位装置からの指示や台間メダル貸機１０の操作によって変更することができる。
【００２４】
営業中モードは、営業時間中に遊技客に遊技させる時のモードである。閉店中モードは、営業時間終了後の遊技店員による閉店作業中に用いるモードである。従業員モードは、営業時間中にワゴンセール等で遊技客から受け取ったメダルを遊技店員が台間メダル貸機１０に入れる時に用いるモードである。テストモードは、営業時間外に新しい遊技機２０を導入した時等に、遊技システムの動作確認テストを実施する時のモードである。
【００２５】
メダル管理に係るモードに関連付けて、正規メダルの計数の有無と、正規メダルの出玉カウントの有無と、非正規メダルの計数の有無と、非正規メダルの出玉カウントの有無と、非正規メダルの搬送先とが設定されている。計数の有無とは、メダルの計数を行うか否かを示す。出玉カウントの有無とは、計数したメダルを遊技客の持メダルとするか否かを示す。リジェクト先とは、遊技媒体を非正規メダルと判定した場合に、該遊技媒体の搬送先を指定するものであり、台間メダル貸機１０の内部の排除を目的とした貯留部（以降リジェクトボックス１９ｃと呼ぶ。）か、台間メダル貸機１０の筐体前面の返却口１９ｂの指定が可能である。なお、正規メダルについては、台間メダル貸機１０の背面（遊技客の操作を受け付ける前面の反対側）に設けた投出口から回収路に投出される。回収路に投出された正規メダルは、自動的に搬送されて島端などに集められる。
【００２６】
営業中モードでは、正規メダルを計数し、計数結果を遊技客の持メダルに加算して、回収路に投出する。また、非正規メダルを計数し、計数結果を遊技客の持メダルに加算して、リジェクトボックス１９ｃに貯留する。非正規メダルについても計数し、計数結果を持メダルに加算するのは、非正規メダルであったとしても該非正規メダルが不正に使用されたとは限らないためである。これは、非正規メダルが一旦混入すると、混入した非正規メダルが遊技店内で循環して台間メダル貸機１０や遊技機２０から払い出される場合があり、計数時に非正規メダルであると判別したとしても、計数時の遊技客が不正に持ち込んだものであるか、遊技店内で循環して払い出されたものであるかが判別できないことによる。
【００２７】
また、営業中モードでは、非正規メダルをリジェクトボックス１９ｃに貯留する。これは、非正規メダルを正規メダルと同様に回収路に投出すると、非正規メダルを排除することができず、非正規メダルを遊技客が回収できる形で返却口１９ｂに投出すると、投出した非正規メダルを再度使用されてしまうためである。
【００２８】
閉店中モードでは、正規メダルは計数を行なわず、回収路に投出する。計数を行なわないため、持メダルへの加算も行なわれない。非正規メダルは計数を行なわず、返却口１９ｂに排出する。このため、遊技店員が、閉店後の遊技店で落ちているメダルを拾い、台間メダル貸機１０に投入すると、該メダルが正規メダルであれば回収路に投出され、非正規メダルであれば返却口１９ｂに返却される。この閉店中モードでは、リジェクトボックス１９ｃへの貯留が行われないので、閉店中モードで投入したメダルを回収するのに台間メダル貸機１０の筐体を開く必要が無い。また、返却口１９ｂから非正規メダルのみを選択的に回収可能である。
【００２９】
従業員モードでは、正規メダルを計数するが、計数結果の持メダルへの加算は行わず、回収路に投出する。また、非正規メダルを計数するが、計数結果の持メダルへの加算は行わず、返却口１９ｂに排出する。従業員モードにおいて、計数結果を持メダルに加算しないのは、遊技店員が携行する景品（飲料やタバコ等）との引き換えに対価として受け取ったメダルを投入するためである。また、従業員モードでは、遊技店員がメダルの投入を行なうため、返却口１９ｂに非正規メダルを返却すれば遊技店員による回収が可能であり、遊技客によって返却口１９ｂから非正規メダルが回収され、再度使用されてしまうこともない。
【００３０】
テストモードでは、正規メダルを計数し、計数結果を持メダルに加算して、回収路に投出する。一方、非正規メダルは計数を行なわず、返却口１９ｂに排出する。このため、テストモードでは、正規のメダルのみを対象に、動作テストを行なうことができる。また、非正規メダルについては、返却口１９ｂに排出されるので、遊技店内で循環するメダルから非正規メダルを除去することができる。
【００３１】
このように、台間メダル貸機１０は、メダルの計数を行なうか否か、計数結果を持メダルに加算するか否か、並びにメダルをどこに排出するかを規定するモードを複数の中から選択することができる。このため、状況に応じて正規メダル及び非正規メダルに対する処理を切り替えることが出来、もって非正規のメダルの取り扱いを効率化することができる。
【００３２】
図１の営業中モードでは、非正規メダルであっても無条件に計数及び出玉カウントを行うとしているが、予めカード管理装置４０等の上位管理装置から配信される非正規メダルの出玉カウントを行う上限値に従って、該上限値に至るまでは出玉カウントに反映し、該上限値を超えた分については出玉カウントに反映しないとしてもよい。
【００３３】
次に、遊技店のシステム構成について説明する。図２は、遊技店のシステム構成を示す図である。図２に示すように、遊技店には、複数の遊技機２０と、各遊技機２０にそれぞれ対応して設けられた台間メダル貸機１０とが設置される。台間メダル貸機１０は、島コントローラ３０を介して店内のネットワークである通信回線と接続する。通信回線には、島コントローラ３０と、カード管理装置４０と、会員管理装置５０と、景品管理装置６０と、精算機８０とが接続される。
【００３４】
遊技機２０は、遊技媒体であるメダルをメダル投入口２３に投入して、３個のドラムを回転させるとともに、ストップボタンを順次押して絵柄をそろえることにより遊技を行うスロットマシンである。３つのドラムの有効ラインに一定の絵柄が揃うと、遊技機２０は、絵柄の種類に応じた枚数のメダルを獲得メダルとして払い出す。
【００３５】
台間メダル貸機１０は、入金の受付、メダルの貸し出し並びにカード管理装置４０との通信を行う。台間メダル貸機１０は、遊技客が投入した紙幣を受け付けたならば、入金額を含む入金通知をカード管理装置４０に送信することで、プリペイド価値をカード管理装置４０が管理するプリペイド価値に加算させる。そして、所定のメダル貸操作がなされたならば、メダル貸要求をカード管理装置４０に送信し、カード管理装置４０が管理するプリペイド価値を減算させて、減算したプリペイド価値分に対応する数のメダルを払い出す。
【００３６】
また、台間メダル貸機１０は、カードの挿入を受け付けたならば、カード管理装置４０にカード挿入通知を送信する。また、台間メダル貸機１０は、カード管理装置４０からプリペイド価値、持メダル口座又は貯メダル口座の残高を受信した場合には、該残高を記憶する。そして、持メダル口座の残高を受信し、記憶した場合には、カード管理装置４０に対して持メダル減算要求を送信することで、カード管理装置４０が管理する持メダル口座の残高をゼロにクリアする。
【００３７】
また、台間メダル貸機１０は、持メダル再プレイ操作を受け付けると、自装置が管理する持メダル口座の残高を所定数減算し、減算した数に対応する数のメダルを払い出す。また、台間メダル貸機１０は、貯メダル再プレイ操作を受け付けると、カード管理装置４０に対して貯メダル再プレイ要求を送信することで、会員管理装置５０が管理する貯メダル口座の残高を所定数減算させ、減算した数に対応する数のメダルを払い出す。
【００３８】
台間メダル貸機１０は、カード返却操作を受け付けたならば、自装置が管理する持メダル口座の残高を含む持メダル加算要求をカード管理装置４０に送信し、カード管理装置４０に持メダルを加算させた後、カード排出通知をカード管理装置４０に送信し、カードを排出制御する。
【００３９】
島コントローラ３０は、遊技島に設けられた一群の遊技機２０及び台間メダル貸機１０を束ねる中継装置である。カード管理装置４０は、カードのプリペイド価値及び持メダル数等をカードデータとして管理する管理装置である。
【００４０】
カード管理装置４０は、台間メダル貸機１０からカード挿入通知を受信したならば、挿入されたカードのＩＤと台間メダル貸機１０とを関連づけて管理し、該カードＩＤに関連づけられたプリペイド価値及び持メダル口座の残高を台間メダル貸機１０に送信する。また、カード挿入通知に示されたカードＩＤが会員カードのカードＩＤである場合には、該カードＩＤに関連づけられた貯メダル口座の残高を会員管理装置５０から取得し、プリペイド価値及び持メダル口座の残高とともに台間メダル貸機１０に送信する。
【００４１】
また、カード管理装置４０は、台間メダル貸機１０から持メダル減算要求を受信した場合には、持メダル口座の残高をゼロにクリアし、台間メダル貸機１０から持メダル加算要求を受信した場合には、持メダル加算要求に示された持メダル数を持メダル口座に加算する。
【００４２】
また、カード管理装置４０は、台間メダル貸機１０からメダル貸要求を受信した場合には、対応するプリペイド価値を所定値減算し、メダル貸許可を台間メダル貸機１０に送信する。そして、貯メダル再プレイ要求を受信した場合には、該貯メダル再プレイ要求を会員管理装置５０に送信し、会員管理装置５０が貯メダル再プレイ許可を出力した場合には、貯メダル再プレイ許可を台間メダル貸機１０に送信する。
【００４３】
また、カード管理装置４０は、景品管理装置６０からカードＩＤを受信したならば、このカードＩＤに関連付けられた持メダル口座の残高を景品管理装置６０に対して通知する。さらに、精算機８０からカードＩＤを受信したならば、このカードＩＤに関連付けられたプリペイド価値を精算機８０に対して通知する。
【００４４】
会員管理装置５０は、遊技店に会員登録された会員の会員管理データを管理する管理装置である。具体的には、会員に対して発行した会員カードＩＤに関連づけて、貯メダル数、ポイント、暗証番号及び氏名等を管理する。
【００４５】
会員管理装置５０は、カード管理装置４０から貯メダル口座残高の問い合わせを受けたならば、指定されたカードＩＤに対応する貯メダル口座の残高をカード管理装置４０に通知する。また、会員管理装置５０は、カード管理装置４０を介して貯メダル再プレイ要求を受信したならば、貯メダル再プレイ要求に示されたカードＩＤに関連づけられた貯メダル口座の残高を所定数減算し、貯メダル再プレイ許可を出力する。
【００４６】
また、会員管理装置５０は、景品管理装置６０から貯メダル口座残高の問い合わせを受けたならば、指定されたカードＩＤに対応する貯メダル口座の残高を景品管理装置６０に通知する。
【００４７】
景品管理装置６０は、遊技店内の景品交換カウンタに併設された景品交換用の端末装置であり、獲得玉、貯メダル及び持メダルの景品交換処理を行う。この景品管理装置６０には、カードのカードＩＤを読み取るリーダライタ並びに景品を払い出す景品払出装置が接続されている。景品管理装置６０は、リーダライタがカードを受け付けた場合には、リーダライタで読み出したカードのカードＩＤをカード管理装置４０に送信して、該カードの持メダル口座残高を要求する。また、貯メダルを景品交換する場合は、会員管理装置５０に対して貯メダル口座残高を要求する。
【００４８】
精算機８０は、プリペイド価値が対応付けられたカードが挿入されると、このカードのカードＩＤをカード管理装置４０に送信し、該カードに関連付けられたプリペイド価値を取得し、取得したプリペイド価値に相当する現金の払出を行う。
【００４９】
図２に示したシステムでメダル貸しを行う場合のメダル貸処理について説明する。遊技客が台間メダル貸機１０に対してメダル貸操作を行うと、台間メダル貸機１０は、カード管理装置４０のローカルアドレスを宛先として指定した電文を送信する。この電文は、台間メダル貸機１０に挿入されているカードのカードＩＤと、送信元である台間メダル貸機１０を特定するアドレス若しくは任意の識別情報と、メダル貸要求とを含む。
【００５０】
カード管理装置４０は、メダル貸要求を含む電文を受信すると、該電文内のカードＩＤに関連付けられたプリペイド価値を所定値（例えば、１００円＝１度数の場合に５度数）減算してカード管理データを更新し、メダル貸許可を送信元の台間メダル貸機１０に送信する。メダル貸許可を受信した台間メダル貸機１０は、減算したプリペイド価値に対応する数（例えば２５枚）のメダルを払い出す。
【００５１】
次に、図２に示したシステムで持メダルの再プレイを行う場合の持メダル再プレイ処理について説明する。台間メダル貸機１０は、一般カードあるいは会員カードの挿入を受け付けた場合に、カード管理装置４０のローカルアドレスを宛先として指定した電文を送信する。この電文は、台間メダル貸機１０に挿入されているカードのカードＩＤと、送信元である台間メダル貸機１０を特定するアドレス若しくは任意の識別情報と、台間メダル貸機１０のレートを特定するための情報と、カード挿入通知とを含む。
【００５２】
カード管理装置４０は、台間メダル貸機１０からカード挿入通知を受信した場合には、該電文内のカードＩＤに関連付けられた持メダル口座のうち、該電文により特定されたレートの持メダル口座の残高を台間メダル貸機１０に通知する。
【００５３】
台間メダル貸機１０は、カード管理装置４０から受信した持メダルの残高を記憶する。そして、カードＩＤ及びレートを特定する情報と、持メダル減算要求とを含む電文をカード管理装置４０に送信する。カード管理装置４０は、持メダル減算要求を受信した場合には、カードＩＤ及びレートにより特定される持メダル口座の残高をゼロにクリアする。台間メダル貸機１０は、持メダル再プレイ操作を受け付けた場合には、記憶した持メダルの残高を所定数減算し、対応する数のメダルを払い出す。
【００５４】
台間メダル貸機１０は、カード返却操作を受け付けた場合には、カード管理装置４０に対して持メダル加算要求を含む電文を送信する。この電文は、排出するカードのカードＩＤと、送信元である台間メダル貸機１０を特定するアドレス若しくは任意の識別情報と、台間メダル貸機１０のレートを特定するための情報と、持メダルの残高と、持メダル加算要求とを含む。
【００５５】
カード管理装置４０は、持メダル加算要求を受け付けた場合には、該電文内のカードＩＤに関連付けられた持メダル口座のうち、該電文により特定されたレートの持メダル口座の残高を受信した残高の値に更新する。
【００５６】
その後、台間メダル貸機１０は、カード管理装置４０にカード排出通知を送信し、カードを排出制御する。
【００５７】
次に、図２に示したシステムで貯メダルの再プレイを行う場合の貯メダル再プレイ処理について説明する。台間メダル貸機１０は、会員カードを挿入された場合、若しくは会員カードとして使用可能な携帯端末からカードＩＤに対応する識別情報を読み取った場合に、カード管理装置４０のローカルアドレスを宛先として指定した電文を送信する。この電文は、台間メダル貸機１０に挿入されているカードのカードＩＤ（若しくは携帯端末から読み取ったカードＩＤに対応する識別情報。以降、カードＩＤという）と、送信元である台間メダル貸機１０を特定するアドレス若しくは任意の識別情報と、台間メダル貸機１０のレートを特定するための情報と、カード挿入通知とを含む。
【００５８】
カード管理装置４０は、カード挿入通知の電文を会員管理装置５０に送信する。会員管理装置５０は、カード挿入通知の電文を受信した場合には、該電文内のカードＩＤに関連付けられた暗証番号と、貯メダル口座のうち、該電文により特定されたレートの貯メダル口座の残高と、を含む貯メダル再プレイデータを台間メダル貸機１０に送信する。
【００５９】
台間メダル貸機１０は、受信した貯メダル再プレイデータを記憶し、貯メダル再プレイデータに示された貯メダル口座の残高が貯メダル再プレイにおけるメダルの払出単位数（貯メダル再プレイ単位数。例えば２５枚）以上である場合には貯メダル再プレイ操作を受け付け可能とする。
【００６０】
台間メダル貸機１０は、貯メダル再プレイデータの記憶後、最初に貯メダル再プレイ操作を受け付けた場合に、遊技客に対して暗証番号の入力を求め、入力された暗証番号が貯メダル再プレイデータに示された暗証番号と一致するかを確認する。
【００６１】
台間メダル貸機１０は、暗証番号が一致した場合に、カード管理装置４０のローカルアドレスを宛先として指定した電文を送信する。この電文は、台間メダル貸機１０に挿入されているカードのカードＩＤと、送信元である台間メダル貸機１０を特定するアドレス若しくは任意の識別情報と、台間メダル貸機１０のレートを特定するための情報と、貯メダル再プレイ要求とを含む。
【００６２】
カード管理装置４０は、貯メダル再プレイ要求の電文を会員管理装置５０に送信する。会員管理装置５０は、貯メダル再プレイ要求の電文を受信した場合には、該電文内のカードＩＤに関連付けられた貯メダル口座のうち、該電文により特定されたレートの貯メダル口座の残高を所定値減算し、減算後の残高を含む貯メダル再プレイデータを台間メダル貸機１０に送信する。
【００６３】
台間メダル貸機１０は、貯メダル再プレイデータを受信して貯メダル口座の残高を更新し、メダルを貯メダル再プレイ単位数だけ払い出す。また、更新後の貯メダル口座の残高が貯メダル再プレイ単位数未満となったかを判定し、貯メダル再プレイ単位数未満となったならば、貯メダル再プレイ操作を受け付け不能とする。更新後の貯メダル口座の残高が貯メダル再プレイ単位数以上であれば、再度貯メダル再プレイ操作を受け付け可能であり、貯メダル再プレイ操作を受け付けた場合には貯メダル再プレイ要求を送信する。２回目以降の貯メダル再プレイ操作では、暗証番号の確認は不要とする状態が継続され、この状態はカードが排出されるまで維持される。この暗証番号の確認は、設定を変更することによって、再プレイ操作ごとに毎回確認する設定も可能である。
【００６４】
次に、閉店処理における持メダルからの貯メダルへの移行について説明する。カード管理装置４０は、閉店処理時にカード管理データの持メダル口座の残高を確認し、持メダルの残高が「０」より大きい持メダル口座が存在する場合には、該持メダル口座の残高をカードＩＤ及びレートとともに会員管理装置５０に通知する。会員管理装置５０は、カードＩＤ及びレートにより特定される貯メダル口座の残高に通知された持メダル口座残高を加算して更新する。その後、カード管理装置４０は、該持メダル口座の残高をゼロにクリアする。
【００６５】
次に、図２に示した遊技機２０及び台間メダル貸機１０の外観構成について説明する。図３は、図２に示した遊技機２０及び台間メダル貸機１０の外観構成を示す図である。なお、紙幣のみを受け付ける台間メダル貸機１０を図示したが、硬貨及び電子マネー受付用のユニットを設けることもできる。
【００６６】
図３に示すように、遊技機２０は、３つのドラムを有するドラム部２１と、各種表示を行なう表示部２２と、メダル投入口２３と、ドラムの回転開始操作を受け付けるスタートレバーやドラムに対応して設けられた３つのストップボタン等を有する操作部２４と、遊技機２０から払い出されたメダルを受け入れる受け皿２５とを有する。
【００６７】
また、台間メダル貸機１０は、台間メダル貸機１０の装置状態を所定色のランプの点灯あるいは点滅で表示する状態表示部１１と、メダルを貸し出す際の各種紙幣を受け付ける紙幣挿入口１２ａと、タッチパネルディスプレイ等の表示操作部１３と、カードを受け付けるカード挿入口１４ａと、携帯端末等をかざすためのかざし部１４ｂと、メダルを遊技機に投出するノズル１８ａと、計数対象のメダルの投入を受け付けるメダル投入部１９ａと、計数時に非正規コインである等の理由で該非正規コインが返却される返却口１９ｂ
を有する。
【００６８】
次に、図２に示した台間メダル貸機１０の内部構成について説明する。図４は、図２に示した台間メダル貸機１０の内部構成を示すブロック図である。図４に示すように、台間メダル貸機１０は、紙幣搬送部１２と、表示操作部１３と、リーダライタ１４と、かざし部１４ｂと、通信部１５と、記憶部１６と、制御部１７と、ノズルユニット１８と、計数ユニット１９と、返却口１９ｂと、リジェクトボックス１９ｃとを有する。
【００６９】
紙幣搬送部１２は、紙幣挿入口１２ａから挿入された紙幣の金種及び真偽を判別しつつ図示しない紙幣収納部に搬送する搬送部である。リーダライタ１４は、カード挿入口１４ａに挿入されたカードからカードＩＤを読み取る読取部である。なお、カード挿入口１４ａに挿入されたカードは、このリーダライタ１４を経て図示しないカード収納部に収納される。通信部１５は、通信回線との間のデータ通信を行なうためのインタフェース部である。
【００７０】
記憶部１６は、ハードディスク装置や不揮発性メモリ等からなる記憶デバイスである。記憶部１６は、カードＩＤ１６ａ、計数データ１６ｂ、有価価値データ１６ｃ、モードデータ１６ｄ及びモード定義データ１６ｅを記憶する。
【００７１】
カードＩＤ１６ａは、リーダライタ１４により読み取られたカードＩＤである。図示しないカード収納部からカード挿入口１４ａにカードが搬送され、該カードが排出される場合には、この搬送途中でリーダライタ１４により読み取られたカードＩＤによってカードＩＤ１６ａが更新される。また、カード挿入口１４ａから図示しないカード収納部にカードが搬送される場合にも、この搬送途中でリーダライタ１４により読み取られたカードＩＤによってカードＩＤ１６ａが更新される。
【００７２】
計数データ１６ｂは、メダル投入部１９ａから投入されたメダルを計数ユニット１９で計数した結果を記憶している。この計数データ１６ｂには、正規メダル数と非正規メダル数を含む。
【００７３】
有価価値データ１６ｃは、遊技媒体の払い出しを受けるために使用可能な有価価値を示すデータである。この有価価値には、メダル貸しに使用可能なプリペイド価値の残高、持メダル口座の残高並びに貯メダル口座の残高を含む。
【００７４】
モードデータ１６ｄは、この台間メダル貸機１０において設定されているモードを記憶しており、営業中モード、閉店中モード、従業員モード及びテストモードのいずれかのモードを記憶している。
【００７５】
モード定義データ１６ｅは、営業中モード、閉店中モード、従業員モード及びテストモード時のメダル管理方法を規定したものである。それぞれのモードごとに、正規メダルの計数の有無と、正規メダルの出玉カウントの有無と、非正規メダルの計数の有無と、非正規メダルの出玉カウントの有無と、非正規メダルの搬送先とが設定されている。
【００７６】
なお、モード定義データ１６ｅの設定は、カード管理装置４０で全ての台間メダル貸機１０に共通の設定値を作成して配信する等の方式で実現することも可能である。また、カード管理装置４０における設定値の作成は、予め決められた取扱いパターンを選択する方式と、自由に動作のパラメータを組み合わせて設定する方式の選択を可能としても良い。
【００７７】
制御部１７は、台間メダル貸機１０を全体制御する制御部であり、データ管理部１７ａ、判別処理部１７ｂ、計数処理部１７ｃ、有価価値管理部１７ｄ、リジェクトメダル処理部１７ｅ及びモード管理部１７ｆを有する。
【００７８】
データ管理部１７ａは、カードが挿入された場合に、カードＩＤ１６ａ及び装置ＩＤを含むカード挿入通知をカード管理装置４０に送信する。また、データ管理部１７ａは、カード管理装置４０から有価価値（プリペイド価値、持メダル及び貯メダルの少なくともいずれか）を受信した場合に、受信した有価価値により有価価値データ１６ｃを更新する。データ管理部１７ａは、有価価値データ１６ｃに示されたプリペイド価値、持メダル及び貯メダルの値を適宜表示操作部１３に表示制御する。
【００７９】
また、データ管理部１７ａは、遊技客によりメダル貸操作が行なわれた場合に、カードＩＤ１６ａ及び装置ＩＤを含むメダル貸要求をカード管理装置４０に送信する。このメダル貸要求への応答としてメダル貸許可を受信したならば、データ管理部１７ａは、所定数のメダルを払い出す。
【００８０】
また、データ管理部１７ａは、遊技客により持メダル再プレイ操作が行なわれた場合に、有価価値データ１６ｃに示された持メダル口座の残高を所定数減算し、対応する数のメダルを払い出す。
【００８１】
また、データ管理部１７ａは、遊技客により貯メダル再プレイ操作が行なわれた場合に、カードＩＤ１６ａ及び装置ＩＤを含む貯メダル再プレイ要求をカード管理装置４０に送信する。この貯メダル再プレイ要求への応答として貯メダル再プレイ許可を受信したならば、データ管理部１７ａは、所定数のメダルを払い出す。
【００８２】
また、データ管理部１７ａは、遊技客によりカード返却操作が行なわれた場合に、カードＩＤ１６ａ、装置ＩＤ並びに持メダル数を含む持メダル加算要求をカード管理装置４０に送信して、自装置持メダル口座の残高を０にクリアした後、カード排出通知をカード管理装置４０に送信し、カードを排出する。
【００８３】
また、データ管理部１７ａは、紙幣挿入口１２ａに紙幣が挿入されると、挿入された紙幣の金額、カードＩＤ１６ａ及び装置ＩＤを含む入金通知をカード管理装置４０に送信する。
【００８４】
判別処理部１７ｂは、計数ユニット１９にメダルが投入された場合に、投入されたメダルが正規のメダルであるか非正規のメダルであるかを判別する処理部である。判別は、投入されたメダルを撮像し、撮像データを正規メダルの画像データと比較することにより行なう。判別の結果は、計数処理部１７ｃ、有価価値管理部１７ｄ及びリジェクトメダル処理部１７ｅに出力することで、計数データ１６ｂ、有価価値データ１６ｃ部の更新やリジェクトメダルの処理の分岐条件に使用される。
【００８５】
判別処理部１７ｂによる判別処理に係る計数ユニット１９の動作を説明する。遊技客により、台間メダル貸機１０の前面にあるメダル投入部１９ａにメダルを投入すると、投入されたメダルは、搬送ベルトで１枚ずつ整列搬送されて計数ユニット内にあるカメラによりメダルの画像が撮像される。判別処理部１７ｂは真贋判定の為に正規メダルの特徴情報を保有しており、カメラで撮像されたメダルの画像から算出した特徴情報と正規メダルの特徴情報を比較することによって個々のメダルの真贋判定を行う。
【００８６】
計数処理部１７ｃは、判別処理部１７ｂによる判別の結果と、モードデータ１６ｄに設定されている現在のモードと、当該モードのモード定義データ１６ｅの設定内容に従って、計数データ１６ｂの更新処理を行う。具体的には、メダルが正規だった場合には、現在のモードで正規メダルの計数が「する」となっていた場合には、計数データ１６ｂの正規メダルの計数値を加算し、現在のモードで正規メダルの計数が「しない」となっていた場合には、計数データ１６ｂの正規メダルの計数値を更新しない。また、メダルが非正規だった場合には、現在のモードで非正規メダルの計数が「する」となっていた場合には、計数データ１６ｂの非正規メダルの計数値を加算し、現在のモードで非正規メダルの計数が「しない」となっていた場合には、計数データ１６ｂの非正規メダルの計数値を更新しない。
【００８７】
計数処理部１７ｃの処理内容に関して、モードデータ１６ｄに計数しない設定となっていた場合には、計数データ１６ｂの更新は行わないとしているが、計数データ１６ｂをモード別に計数結果の情報を有するデータ形式とした場合には、モード別の計数結果を記録するとしても良い。
【００８８】
有価価値管理部１７ｄは、判別処理部１７ｂによる判別の結果と、モードデータ１６ｄに設定されている現在のモードと、当該モードのモード定義データ１６ｅの設定内容に従って、有価価値データ１６ｃの更新処理を行う。具体的には、メダルが正規だった場合には、現在のモードで正規メダルの出玉カウントが「する」となっていた場合には、有価価値データ１６ｃの持メダル口座の残高に１を加算し、現在のモードで正規メダルの出玉カウントが「しない」となっていた場合には、有価価値データ１６ｃの持メダル口座の残高を更新しない。また、メダルが非正規だった場合には、現在のモードで非正規メダルの出玉カウントが「する」となっていた場合には、有価価値データ１６ｃの持メダル口座の残高に１を加算し、現在のモードで非正規メダルの出玉カウントが「しない」となっていた場合には、有価価値データ１６ｃの持メダル口座の残高を更新しない。
【００８９】
リジェクトメダル処理部１７ｅは、判別処理部１７ｂでメダルが非正規メダルであると判定された場合に、非正規と判定されたメダルを返却口１９ｂ又はリジェクトボックス１９ｃに搬送する処理である。返却口１９ｂに搬送するか、リジェクトボックス１９ｃに搬送するかは、モードデータ１６ｄに記憶されているモードと、モード定義データ１６ｅで決定される。当該モードにおけるリジェクト先の設定値が「返却口」となっている場合には非正規メダルは返却口１９ｂに搬送され、当該モードにおけるリジェクト先の設定値が「リジェクトボックス」となっている場合には非正規メダルはリジェクトボックス１９ｃに搬送される。なお、正規メダルであると判定されたメダルは、台間メダル貸機１０の背面に設けた投出口から回収路に投出される。
【００９０】
モード管理部１７ｆは、モードデータ１６ｄの値の更新処理を行う。モード管理部１７ｆは、通信部１５を通してカード管理装置４０からの通信でモード変更の指示を受けると、指定されたモードに変更する。また、モード管理部１７ｆは、表示操作部等の操作によってモードの変更を実施することも可能である。
【００９１】
次に、台間メダル貸機１０の本実施例１に係るデータ構造について説明する。図５は、図２に示した台間メダル貸機１０の実施例１に係るデータ構造について説明するための説明図である。
【００９２】
モード定義データ１６ｅは、モードデータ１６ｄに設定可能なすべてのモードに対して、正規メダルの計数の有無と、正規メダルの出玉カウントの有無と、非正規メダルの計数の有無と、非正規メダルの出玉カウントの有無と、非正規メダルの搬送先とが設定されている。計数の有無とは、計数結果を計数データ１６ｂに反映するか否かを示す。出玉カウントの有無とは、計数結果を有価価値データ１６ｃに反映するか否かを示す。リジェクト先とは、計数したメダルを非正規メダルと判定した場合に、該メダルの搬送先を指定するものであり、台間メダル貸機１０の内部のリジェクトボックス１９ｃか、台間メダル貸機１０の筐体前面の返却口１９ｂの設定が可能である。
【００９３】
図５に示すモード定義データ１６ｅは、営業中モードは、正規メダルの場合には計数は「する」で出玉カウントも「する」が設定され、非正規メダルの場合にも計数は「する」で出玉カウントも「する」が設定され、非正規メダルのリジェクト先は「リジェクトボックス」が設定されている。
【００９４】
閉店中モードは、正規メダルの場合には計数は「しない」で出玉カウントも「しない」が設定され、非正規メダルの場合にも計数は「しない」で出玉カウントも「しない」が設定され、非正規メダルのリジェクト先は「返却口」が設定されている。
【００９５】
従業員モードは、正規メダルの場合には計数は「する」で出玉カウントは「しない」が設定され、非正規メダルの場合にも計数は「する」で出玉カウントは「しない」が設定され、非正規メダルのリジェクト先は「返却口」が設定されている。
【００９６】
テストモードは、正規メダルの場合には計数は「する」で出玉カウントも「する」が設定され、非正規メダルの場合には計数は「しない」で出玉カウントも「しない」が設定され、非正規メダルのリジェクト先は「返却口」が設定されている。
【００９７】
次に、台間メダル貸機１０のメダル計数時の処理手順について説明する。図６は、実施例１に係る台間メダル貸機１０におけるメダルの計数時の処理手順について説明するためのフローチャートである。
【００９８】
まず、モード管理部１７ｆはモードデータ１６ｄ及びモード定義データ１６ｅを読み込んで、現在のモードにおける、正規メダルの計数の有無と、正規メダルの出玉カウントの有無と、非正規メダルの計数の有無と、非正規メダルの出玉カウントの有無と、非正規メダルのリジェクト先とを決定する（ステップＳ１０１）。
【００９９】
ステップＳ１０１の後、判別処理部１７ｂは、計数ユニット１９に投入されたメダルのうちの１枚について、該メダルが正規メダルか非正規メダルかの判別を行う（ステップＳ１０２）。メダル判別の結果、正規メダルであった場合には（ステップＳ１０３；Ｙｅｓ）、モード情報読取処理（ステップＳ１０１）で決定した内容にあわせて、正規メダルの計数の有無が「しない」の場合には（ステップＳ１０４；Ｎｏ）、未処理のメダルの有無の判定処理（ステップＳ１１５）に移行する。正規メダルの計数の有無が「する」の場合には（ステップＳ１０４；Ｙｅｓ）、計数処理部１７ｃは計数データ１６ｂの正規メダル数に１を加算する(ステップＳ１０５)。
【０１００】
ステップＳ１０５の後、正規メダルの出玉カウントの有無が「しない」の場合には（ステップＳ１０６；Ｎｏ）、未処理のメダルの有無の判定処理（ステップＳ１１５）に移行する。一方、正規メダルの出玉カウントの有無が「する」の場合には（ステップＳ１０６；Ｙｅｓ）、有価価値管理部１７ｄは有価価値データ１６ｃの持メダル口座の残高に１を加算して（ステップＳ１０７）、未処理のメダルの有無の判定処理（ステップＳ１１５）に移行する。
【０１０１】
ステップＳ１０２におけるメダル判別の結果、非正規メダルであった場合には（ステップＳ１０３；Ｎｏ）、モード情報読取処理（ステップＳ１０１）で決定した内容にあわせて、非正規メダルの計数の有無が「しない」の場合には（ステップＳ１０８；Ｎｏ）、非正規メダルのリジェクト先の判定処理（ステップＳ１１２）に移行する。非正規メダルの計数の有無が「する」の場合には（ステップＳ１０８；Ｙｅｓ）、計数処理部１７ｃは計数データ１６ｂの非正規メダル数に１を加算する(ステップＳ１０９)。
【０１０２】
ステップＳ１０９の後、非正規メダルの出玉カウントの有無が「しない」の場合には（ステップＳ１１０；Ｎｏ）、非正規メダルのリジェクト先の判定処理（ステップＳ１１２）に移行する。非正規メダルの出玉カウントの有無が「する」の場合には（ステップＳ１１０；Ｙｅｓ）、有価価値管理部１７ｄは有価価値データ１６ｃの持メダル口座の残高に１を加算して（ステップＳ１１１）、非正規メダルのリジェクト先の判定処理（ステップＳ１１２）に移行する。
【０１０３】
非正規メダルの計数により持メダル口座の残高を加算した（ステップＳ１１１）後、非正規メダルを出玉カウントしない場合（ステップＳ１１０；Ｎｏ）、若しくは非正規メダルの計数を行なわない場合（ステップＳ１０８；Ｎｏ）、リジェクトメダル処理部１７ｅは、モード情報読取処理（ステップＳ１０１）で決定した非正規メダルのリジェクト先を判定する（ステップＳ１１２）。
【０１０４】
判定の結果、リジェクト先が「リジェクトボックス」となっていた場合には（ステップＳ１１２；Ｙｅｓ）、リジェクトメダル処理部１７ｅは、非正規メダルをリジェクトボックス１９ｃへ搬送し（ステップＳ１１３）、未処理のメダルの有無の判定処理（ステップＳ１１５）に移行する。また、リジェクト先が「返却口」となっていた場合には（ステップＳ１１２；Ｎｏ）、リジェクトメダル処理部１７ｅは、非正規メダルを返却口１９ｂへ搬送し（ステップＳ１１４）、未処理のメダルの有無の判定処理（ステップＳ１１５）に移行する。
【０１０５】
未処理のメダルの有無の判定処理（ステップＳ１１５）では、判別処理部１７ｂは、計数ユニット１９にメダル判別処理がまだ実施されていない未処理のメダルが存在するか否かを判定する。未処理のメダルが存在する場合には（ステップＳ１１５；Ｙｅｓ）、未処理のメダルを１枚選択し、メダル判別（ステップＳ１０２）に移行する。未処理のメダルが存在しない場合には（ステップＳ１１５；Ｎｏ）、処理を終了する。
【０１０６】
上述してきたように、本実施例１では、台間メダル貸機１０は、メダルの計数を行なうか否か、計数結果を持メダルに加算するか否か、並びにメダルをどこに排出するかを規定するモードを複数の中から選択することができる。このため、状況に応じて正規メダル及び非正規メダルに対する処理を切り替えることが出来、もって非正規のメダルの取り扱いを効率化することができる。
【実施例２】
【０１０７】
上述してきた実施例１では、正規のメダルと非正規のメダルとを判別する場合について説明したが、非正規のメダルには、他店から持ち込まれた他店メダルと、自店舗内の他の区画から持ち込まれたメダルとが含まれる。例えば、自店舗内において、複数の貸出レートで遊技を提供する場合には、メダルの貸出レート毎に区画をわけて、他レートのメダルが使用されないようにしている。このとき、区画毎又はレート毎に異なる図案のメダルを用いれば、別区画からのメダルの持ち込みを検知できる。
【０１０８】
他店メダルについては、自店舗で使用できないため廃棄するのであるが、自店舗内の他区画から持ち込まれたメダル（他レートメダル）については、本来の区画に戻す必要がある。そこで、本実施例２では、非正規のメダルについて、他店メダルと他レートメダルとをさらに区別して判別し、その取り扱いを異ならせる場合について説明する。
【０１０９】
また、計数対象のメダルに対する非正規メダルの混入率が大きければ、遊技店内で循環した非正規メダルが混ざったのではなく、不正に非正規メダルを混入した可能性が高い。そこで、本実施例２では、非正規メダルの混入状況に応じて警報を発する構成についても説明する。
【０１１０】
図７は、実施例２に係る台間メダル貸機１１０の内部構成を示すブロック図である。台間メダル貸機１１０は、記憶部１６がアラート閾値データ１１６ｆをさらに記憶し、計数データ１１６ｂ及びモード定義データ１１６ｅの内容が実施例１に示した計数データ１６ｂ及びモード定義データ１６ｅと異なる。また、制御部１７がアラート報知部１１７ｇをさらに備え、判別処理部１１７ｂ、計数処理部１１７ｃ、有価価値管理部１１７ｄ及びリジェクトメダル処理部１１７ｅの動作が、実施例１に示した判別処理部１７ｂ、計数処理部１７ｃ、有価価値管理部１７ｄ及びリジェクトメダル処理部１７ｅと異なる。その他の構成及び動作については、実施例１に示した台間メダル貸機１０と同様であるので、同一の構成要素には同一の符号を付して説明を省略する。
【０１１１】
計数データ１１６ｂは、メダル投入部１９ａから投入されたメダルを計数ユニット１９で計数した結果を記憶している。この計数データ１１６ｂには、正規メダル数と他レートメダル数とその他の非正規メダル数（他店メダル数）とを含む。
【０１１２】
モード定義データ１１６ｅは、営業中モード、閉店中モード、従業員モード及びテストモード時のメダル管理方法を規定したものである。それぞれのモードごとに、正規メダルの計数の有無と、正規メダルの出玉カウントの有無と、他レートメダルの計数の有無と、他レートメダルの出玉カウントの有無と、他レートメダルの搬送先と、他店計数の有無と、他店メダルの出玉カウントの有無と、他店メダルの搬送先とが設定されている。
【０１１３】
アラート閾値データ１１６ｆは、アラート報知部１１７ｇにおいて非正規メダルの割合が高いか否かを判定する基準となる閾値を規定するデータである。
【０１１４】
判別処理部１１７ｂは、計数ユニット１９にメダルが投入された場合に、投入されたメダルが正規のメダルであるか非正規のメダルであるか、さらに非正規のメダルである場合には当該店舗の他レートのメダルであるのか他店メダルであるかを判別する処理部である。判別は、投入されたメダルを撮像し、撮像データを正規メダルの画像データと比較することにより行なう。判別の結果は、計数処理部１１７ｃ、有価価値管理部１１７ｄ及びリジェクトメダル処理部１１７ｅに出力することで、計数データ１１６ｂ、有価価値データ１６ｃ部の更新やリジェクトメダルの処理の分岐条件に使用される。
【０１１５】
計数処理部１１７ｃは、判別処理部１１７ｂによる判別の結果と、モードデータ１６ｄに設定されている現在のモードと、当該モードのモード定義データ１１６ｅの設定内容に従って、計数データ１１６ｂの更新処理を行う。具体的には、メダルが正規だった場合には、現在のモードで正規メダルの計数が「する」となっていた場合には、計数データ１１６ｂの正規メダルの計数値に１を加算し、現在のモードで正規メダルの計数が「しない」となっていた場合には、計数データ１１６ｂの正規メダルの計数値を更新しない。また、メダルが他レートメダルだった場合には、現在のモードで他レートメダルの計数が「する」となっていた場合には、計数データ１１６ｂの他レートの計数値に１を加算し、現在のモードで他レートメダルの計数が「しない」となっていた場合には、計数データ１１６ｂの他レートの計数値を更新しない。また、メダルが他店メダルだった場合には、現在のモードで他レートメダル以外の非正規メダルの計数が「する」となっていた場合には、計数データ１１６ｂの他店メダルの計数値に１を加算し、現在のモードで他店メダルの計数が「しない」となっていた場合には、計数データ１１６ｂの他店メダルの計数値を更新しない。
【０１１６】
有価価値管理部１１７ｄは、判別処理部１１７ｂによる判別の結果と、モードデータ１６ｄに設定されている現在のモードと、当該モードのモード定義データ１１６ｅの設定内容に従って、有価価値データ１６ｃの更新処理を行う。具体的には、メダルが正規だった場合には、現在のモードで正規メダルの出玉カウントが「する」となっていた場合には、有価価値データ１６ｃの持メダル口座の残高に１を加算し、現在のモードで正規メダルの出玉カウントが「しない」となっていた場合には、有価価値データ１６ｃの持メダル口座の残高を更新しない。また、メダルが他レートメダルだった場合には、現在のモードで他レートメダルの出玉カウントが「する」となっていた場合には、有価価値データ１６ｃの持メダル口座の残高に１を加算し、現在のモードで他レートメダルの出玉カウントが「しない」となっていた場合には、有価価値データ１６ｃの持メダル口座の残高を更新しない。また、メダルが他店メダルだった場合には、現在のモードで他店の出玉カウントが「する」となっていた場合には、有価価値データ１６ｃの持メダル口座の残高に１を加算し、現在のモードで他店メダルの出玉カウントが「しない」となっていた場合には、有価価値データ１６ｃの持メダル口座の残高を更新しない。
【０１１７】
リジェクトメダル処理部１１７ｅは、判別処理部１１７ｂでメダルが他レートメダル又は他店メダルであると判定された場合に、メダルを返却口１９ｂ又はリジェクトボックス１９ｃに搬送する処理である。本実施例２では、返却口１９ｂに搬送するか、リジェクトボックス１９ｃに搬送するかは、モードデータ１６ｄに記憶されているモードと、モード定義データ１１６ｅの設定で決定され、他レートメダルと他店メダルのそれぞれについて、「返却口」もしくは「リジェクトボックス」の設定が可能である。「返却口」となっている場合には返却口１９ｂに搬送され、当該モードにおけるリジェクト先の設定値が「リジェクトボックス」となっている場合にはリジェクトボックス１９ｃに搬送される。なお、正規メダルであると判定されたメダルは、台間メダル貸機１１０の背面に設けた投出口から回収路に投出される。
【０１１８】
アラート報知部１１７ｇは、不正に非正規メダルを持ち込んだ可能性があることを店員に報知する機能である。アラート報知部１１７ｇは、１回の計数操作時の計数メダル数とその計数時に含まれていた非正規メダルの比率をアラート閾値データ１１６ｆと比較して、その閾値を超えていた場合には、通信部１５を介してカード管理装置４０に遊技機２０を識別する情報等を添付してアラートを通知する。カード管理装置４０はアラートの通知を受けると遊技店員端末に、アラートが発生している台間メダル貸機１１０の識別情報を通知する。
【０１１９】
上述の通り、実施例２では、アラート報知の要否はアラート閾値データ１１６ｆを判定基準として使用しており具体的な設定方式は明示していないが、カード管理装置４０から配信されることによって設定されるとしても良い。また、カード管理装置４０におけるアラート閾値データ１１６ｆの作成方法に関しても、計数時に台間メダル貸機１０から計数枚数と非正規メダル混入率をカード管理装置４０に常時送付させ、店舗内のすべて台間メダル貸機１０から送付されてくる計数枚数と非正規メダル混入率を集計して得られる店舗全体の計数時の非正規メダルの混入率から、所定のルールに従って自動的にアラート閾値データ１１６ｆを作成させることも可能である。
【０１２０】
次に、台間メダル貸機１１０の本実施例２に係るデータ構造について説明する。図８は、台間メダル貸機１１０の実施例２に係るデータ構造について説明するための説明図である。
【０１２１】
モード定義データ１１６ｅは、モードデータ１１６ｄに設定可能なすべてのモードに対して、正規メダルの計数の有無と、正規メダルの出玉カウントの有無と、他レートメダルの計数の有無と、他レートメダルの出玉カウントの有無と、他レートメダルの搬送先と、他店メダルの計数の有無と、他店メダルの出玉カウントの有無と、他店メダルの搬送先とが設定されている。計数の有無とは、計数結果を計数データ１６ｂに反映するか否かを示す。出玉カウントの有無とは、計数結果を有価価値データ１６ｃに反映するか否かを示す。リジェクト先とは、計数したメダルを他レートメダルや他店メダル等の非正規メダルと判定した場合に、該メダルの搬送先を指定するものであり、台間メダル貸機１１０の内部のリジェクトボックス１９ｃか、台間メダル貸機１１０の筐体前面の返却口１９ｂの設定が可能である。
【０１２２】
図８に示すモード定義データ１１６ｅでは、営業中モードは、正規メダルの場合には計数は「する」で出玉カウントも「する」が設定され、他レートメダルの場合にも計数は「する」で出玉カウントも「する」が設定され、他店メダルの場合にも計数は「する」で出玉カウントも「する」が設定され、他レートメダルのリジェクト先に「リジェクトボックス」、他店メダルのリジェクト先に「リジェクトボックス」が設定されている。
【０１２３】
また、モード定義データ１１６ｅでは、閉店中モードは、正規メダルの場合には計数は「しない」で出玉カウントも「しない」が設定され、他レートメダルの場合にも計数は「しない」で出玉カウントも「しない」が設定され、他店メダルの場合にも計数は「しない」で出玉カウントも「しない」が設定され、他レートメダルのリジェクト先に「返却口」、他店メダルのリジェクト先に「リジェクトボックス」が設定されている。
【０１２４】
また、モード定義データ１１６ｅでは、従業員モードは、正規メダルの場合には計数は「する」で出玉カウントは「しない」が設定され、他レートメダルの場合にも計数は「する」で出玉カウントは「しない」が設定され、他店メダルの場合にも計数は「する」で出玉カウントは「しない」が設定され、他レートメダルのリジェクト先に「返却口」、他店メダルのリジェクト先に「リジェクトボックス」が設定されている。
【０１２５】
また、モード定義データ１１６ｅでは、テストモードは、正規メダルの場合には計数は「する」で出玉カウントも「する」が設定され、他レートメダルの場合には計数は「しない」で出玉カウントも「しない」が設定され、他店メダルの場合にも計数は「しない」で出玉カウントも「しない」が設定され、他レートメダルのリジェクト先に「返却口」、他店メダルのリジェクト先に「リジェクトボックス」が設定されている。
【０１２６】
アラート閾値データ１１６ｆは、非正規メダル（他レートメダルと他店メダルの合計）の割合が高いか否かを判定する基準となる閾値を設定したものである。計数した枚数が少ない場合には混入率にばらつきが大きくなり、計数した枚数が多い場合には混入率のばらつきが小さくなることを考慮して、計数枚数が小さい時のアラートとする混入率の閾値は高めに、計数枚数が大きい時のアラートとする混入率の閾値は低めに設定することを可能としている。
【０１２７】
図８に示すアラート閾値データ１１６ｆは、計数枚数が1枚から５０枚の時のアラート閾値に３０％、計数枚数が５1枚から１００枚の時のアラート閾値に２５％、計数枚数が１０1枚から２００枚の時のアラート閾値に２０％、計数枚数が２０1枚から３００枚の時のアラート閾値に１５％、計数枚数が３０1枚から５００枚の時のアラート閾値に１０％、計数枚数が５０1枚から１０００枚の時のアラート閾値に５％、計数枚数が１００1枚から２５００枚の時のアラート閾値に３％、計数枚数が２５０1枚以上の時のアラート閾値に２％が設定されている。
【０１２８】
次に、台間メダル貸機１１０のメダル計数時の処理手順について説明する。図９は、実施例２に係る台間メダル貸機１１０におけるメダルの計数時の処理手順について説明するためのフローチャートである。
【０１２９】
まず、モード管理部１７ｆはモードデータ１６ｄ及びモード定義データ１１６ｅを読み込んで、現在のモードにおける、正規メダルの計数の有無と正規メダルの出玉カウントの有無と、他レートメダルの計数の有無と他レートメダルの出玉カウントの有無と他レートメダルのリジェクト先と、他店メダルの計数の有無と他店メダルの出玉カウントの有無と他店メダルのリジェクト先とを決定する（ステップＳ２０１）。
【０１３０】
ステップＳ２０１の後、判別処理部１１７ｂは、計数ユニット１９に投入されたメダルのうちの１枚について、該メダルが正規メダルか他レートメダルか他店メダルかの判別を行う（ステップＳ２０２）。メダル判別の結果、正規メダルであった場合には（ステップＳ２０３；Ｙｅｓ）、モード情報読取処理（ステップＳ２０１）で決定した内容にあわせて、正規メダルの計数の有無が「しない」の場合には（ステップＳ２０４；Ｎｏ）、未処理のメダルの有無の判定処理（ステップＳ２２１）に移行する。正規メダルの計数の有無が「する」の場合には（ステップＳ２０４；Ｙｅｓ）、計数処理部１１７ｃは計数データ１１６ｂの正規メダル数に１を加算する(ステップＳ２０５)。
【０１３１】
ステップＳ２０５の後、正規メダルの出玉カウントの有無が「しない」の場合には（ステップＳ２０６；Ｎｏ）、未処理のメダルの有無の判定処理（ステップＳ２２１）に移行する。一方、正規メダルの出玉カウントの有無が「する」の場合には（ステップＳ２０６；Ｙｅｓ）、有価価値管理部１１７ｄは有価価値データ１６ｃの持メダル口座の残高に１を加算して（ステップＳ２０７）、未処理のメダルの有無の判定処理（ステップＳ２２１）に移行する。
【０１３２】
ステップＳ２０２におけるメダル判別の結果、非正規メダルであった場合には（ステップＳ２０３；Ｎｏ）、さらに他レートメダルなのか他店メダルなのかの判定を行う（ステップＳ２０８）。他レートメダルであった場合には（ステップＳ２０８；Ｙｅｓ）、モード情報読取処理（ステップＳ２０１）で決定した内容にあわせて、他レートメダルの計数の有無が「しない」の場合には（ステップＳ２０９；Ｎｏ）、他レートメダルのリジェクト先の判定処理（ステップＳ２１３）に移行する。他レートメダルの計数の有無が「する」の場合には（ステップＳ２０９；Ｙｅｓ）、計数処理部１１７ｃは計数データ１１６ｂの他レートメダル数に１を加算する(ステップＳ２１０)。
【０１３３】
ステップＳ２１０の後、他レートメダルの出玉カウントの有無が「しない」の場合には（ステップＳ２１１；Ｎｏ）、他レートメダルのリジェクト先の判定処理（ステップＳ２１３）に移行する。他レートメダルの出玉カウントの有無が「する」の場合には（ステップＳ２１１；Ｙｅｓ）、有価価値管理部１１７ｄは有価価値データ１６ｃの持メダル口座の残高に１を加算して（ステップＳ２１２）、他レートメダルのリジェクト先の判定処理（ステップＳ２１３）に移行する。
【０１３４】
他レートメダルの計数により持メダル口座の残高を加算した（ステップＳ２１２）後、他レートメダルを出玉カウントしない場合（ステップＳ２１１；Ｎｏ）、若しくは他レートメダルの計数を行なわない場合（ステップＳ２０９；Ｎｏ）、リジェクトメダル処理部１１７ｅは、モード情報読取処理（ステップＳ２０１）で決定した他レートメダルのリジェクト先を判定する（ステップＳ２１３）。
【０１３５】
判定の結果、リジェクト先が「リジェクトボックス」となっていた場合には（ステップＳ２１３；Ｙｅｓ）、リジェクトメダル処理部１１７ｅは、他レートメダルをリジェクトボックス１９ｃへ搬送する（ステップＳ２１４）。また、リジェクト先が「返却口」となっていた場合には（ステップＳ２１３；Ｎｏ）、リジェクトメダル処理部１１７ｅは他レートメダルを返却口１９ｂへ搬送し（ステップＳ２１５）、未処理のメダルの有無の判定処理（ステップＳ２２１）に移行する。
【０１３６】
ステップＳ２０２におけるメダル判別の結果、他店メダルであった場合には（ステップＳ２０８；Ｎｏ）、モード情報読取処理（ステップＳ２０１）で決定した内容にあわせて、他店メダルの計数の有無が「しない」の場合には（ステップＳ２１６；Ｎｏ）、他店メダルのリジェクト先の判定処理（ステップＳ２２０）に移行する。他店メダルの計数の有無が「する」の場合には（ステップＳ２１６；Ｙｅｓ）、計数処理部１１７ｃは計数データ１１６ｂの他店メダル数に１を加算する(ステップＳ２１７)。
【０１３７】
ステップＳ２１７の後、他店メダルの出玉カウントの有無が「しない」の場合には（ステップＳ２１８；Ｎｏ）、他店メダルのリジェクト先の判定処理（ステップＳ２２０）に移行する。他店メダルの出玉カウントの有無が「する」の場合には（ステップＳ２１８；Ｙｅｓ）、有価価値管理部１１７ｄは有価価値データ１６ｃの持メダル口座の残高に１を加算して（ステップＳ２１９）、他店メダル等リジェクト先の判定処理（ステップＳ２２０）に移行する。
【０１３８】
他店メダルの計数により持メダル口座の残高を加算した（ステップＳ２１９）後、他店メダルを出玉カウントしない場合（ステップＳ２１８；Ｎｏ）、若しくは他店メダルの計数を行なわない場合（ステップＳ２１６；Ｎｏ）、リジェクトメダル処理部１１７ｅは、モード情報読取処理（ステップＳ２０１）で決定した他店メダルのリジェクト先を判定する（ステップＳ２２０）。
【０１３９】
判定の結果、リジェクト先が「リジェクトボックス」となっていた場合には（ステップＳ２２０；Ｙｅｓ）、リジェクトメダル処理部１１７ｅは、他店をリジェクトボックス１９ｃへ搬送し（ステップＳ２１４）、未処理のメダルの有無の判定処理（ステップＳ２２１）に移行する。また、リジェクト先が「返却口」となっていた場合には（ステップＳ２２０；Ｎｏ）、リジェクトメダル処理部１１７ｅは、他店メダルを返却口１９ｂへ搬送し（ステップＳ２１５）、未処理のメダルの有無の判定処理（ステップＳ２２１）に移行する。
【０１４０】
未処理のメダルの有無の判定処理（ステップＳ２２１）では、判別処理部１１７ｂは、計数ユニット１９にメダル判別処理がまだ実施されていない未処理のメダルが存在するか否かを判定する。未処理のメダルが存在する場合には（ステップＳ２２１；Ｙｅｓ）、未処理のメダルを１枚選択し、メダル判別（ステップＳ２０２）に移行する。
【０１４１】
未処理のメダルが存在しない場合には（ステップＳ２２１；Ｎｏ）、今回の計数処理で計数したメダル枚数と非正規メダルの混入率と、アラート閾値データ１１６ｆを比較して、アラート発報の対象か否かの判定処理（ステップＳ２２２）を実施する。アラート判定の結果でアラートが不要と判定した場合には（ステップＳ２２３；Ｎｏ）、処理終了する。アラート判定の結果でアラート発報の対象と判定した場合には（ステップＳ２２３；Ｙｅｓ）、不正に非正規メダルを持ち込んだ可能性があることを遊技店員端末に報知して（ステップＳ２２４）、処理を終了する。
【０１４２】
上述してきたように、本実施例２では、台間メダル貸機１１０は、メダルが正規メダルであるのか、非正規メダルであるのか、非正規メダルの場合には自店の他レートのメダルであるのか、他店メダル等の他レートメダル以外の非正規メダルであるのかの判別を行い、判別結果ごとに、メダルの計数を行なうか否か、計数結果を持メダルに加算するか否か、並びにメダルをどこに排出するかを規定するモードを複数の中から選択することができる。また、メダル計数時の非正規メダルの混入比率によって、メダル計数時に不正な非正規メダルの混入が行われた可能性のある遊技機２０を特定し遊技店店員に報知することができる。このことにより、状況に応じて正規メダル、他レートメダル及び他店メダル等の非正規メダルに対する処理を切り替えることができ、非正規メダルの不正持ち込みをタイムリーに特定することができ、もって非正規のメダルの取り扱いを効率化することができる。
【０１４３】
なお、上述してきたように、本実施例２では、アラート閾値データ１１６ｆの閾値を超えた場合のみ、閾値を超えた数の非正規メダルが計数されたこと及びその計数された台間メダル貸機１１０の識別番号を通知しているが、カード管理装置４０への通知内容はこれに限定されるものではなく、台間メダル貸機１０からモード別に計数された正規メダル枚数及び非正規メダル枚数を送信させて、カード管理装置４０で集計した結果をアラート閾値データ１１６ｆの自動作成や非正規メダルの混入率の現状把握などに活用することも可能である。また、台間メダル貸機１０からのカード管理装置４０への通知条件に関しても、非正規メダルの混入率ではなく非正規メダルが混入されている場合にはすべてアラートの通知を行うとしても良い。
【０１４４】
また、上述の実施例１及び２では、メダルの画像（凹凸パターンなど）を判別する例を示しているが、メダルの判別方法はこれに限定されず、反射率データあるいは反射波長データなど色あるいは光沢などを判別する方法、内蔵したタグを判別する方法などを用いてもよく、運用対象と運用対象外のメダルを判別可能であれば特に限定されない。
【０１４５】
また、上述の実施例１及び２では、他店メダルについて詳細な判別を行なっていなかったが、他店メダルをさらに判別するよう構成してもよい。具体的には、自店舗で使用されていない他店メダルの計数時には該他店メダルの画像を記憶し、同一の他店メダルの計数に対してはより厳しい判定閾値を用いることで、他店メダルの持ち込みをさらに精度良く検知することができる。
【０１４６】
また、上述の実施例１及び２では、遊技媒体としてメダルを使用する場合を例に説明を行なったが、遊技媒体として遊技玉を使用する場合であっても本発明を適用可能である。
【０１４７】
また、上述の実施例１及び２では、カードの形態についての詳細な説明を省略したが、かかるカードには、磁気カード、ＩＣカード等が含まれる。また、ここでは説明の便宜上「カード」を例にとって説明したが、かかるカード以外に、チップ、スティックであってもよい。特に、ＩＣチップ付携帯端末を媒体として用いる場合は、当該携帯端末のＩＣチップから非接触にて取得可能な識別情報を用いて携帯端末を一意に識別できるため、当該識別情報に関連付けて遊技媒体数を管理することができる。
【０１４８】
また、上述の実施例１及び２では、モード定義データ１６ｅやモード定義データ１１６ｅの通り、モードとして「営業中モード」、「閉店中モード」、「従業員モード」及び「テストモード」、モード別の動作パラメータとして「正規メダル時の計数する・しない」、「正規メダル時の出玉カウントする・しない」、「他レートメダル時の計数する・しない」、「他店メダル時の計数する・しない」、「他レートメダル時の出玉カウントする・しない」、「他店メダル時の出玉カウントする・しない」、「他レートメダル時のリジェクト先」、「他店メダル時のリジェクト先」の設定を行えるものとしたが、本発明はこれに限定されるものではない。モードとしては不正操作による「エラーモード」やカード管理装置４０との接続ができていない「オフラインモード」など、動作パラメータとしては「計数動作する・しない」などを追加することも可能である。
【０１４９】
また、図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１５０】
以上のように、本発明に係る各台装置、遊技媒体管理システム及び遊技媒体管理方法は、非正規メダルの取り扱いを効率化することに適している。
【符号の説明】
【０１５１】
１０、１１０  台間メダル貸機
１１  状態表示部
１２  紙幣搬送部
１２ａ  紙幣挿入口
１３  表示操作部
１４  リーダライタ
１４ａ  カード挿入口
１４ｂ  かざし部
１５  通信部
１６  記憶部
１６ａ  カードＩＤ
１６ｂ、１１６ｂ  計数データ
１６ｃ  有価価値データ
１６ｄ  モードデータ
１６ｅ、１１６ｅ  モード定義データ
１１６ｆ  アラート閾値データ
１７  制御部
１７ａ  データ管理部
１７ｂ、１１７ｂ  判別処理部
１７ｃ、１１７ｃ  計数処理部
１７ｄ、１１７ｄ  有価価値管理部
１７ｅ、１１７ｅ  リジェクトメダル処理部
１７ｆ  モード管理部
１１７ｇ  アラート報知部
１８  ノズルユニット
１８ａ  ノズル
１９  計数ユニット
１９ａ  メダル投入部
１９ｂ  返却口
１９ｃ  リジェクトボックス
２０  遊技機
２１  ドラム部
２２  表示部
２３  メダル投入口
２４  操作部
２５  受け皿
３０  島コントローラ
４０  カード管理装置
５０  会員管理装置
６０  景品管理装置
８０  精算機
【図１】
2014144057.tif 000003
【図２】
2014144057.tif 000004
【図３】
2014144057.tif 000005
【図４】
2014144057.tif 000006
【図５】
2014144057.tif 000007
【図６】
2014144057.tif 000008
【図７】
2014144057.tif 000009
【図８】
2014144057.tif 000010
【図９】
2014144057.tif 000011